(57)【特許請求の範囲】
【請求項１】
頭皮にカードランゲルを押し当てることにより、脳波を測定する脳波測定用器具であって、
前記カードランゲルは、電解質を含み、
前記カードランゲルが表面に固定されている電極を有することを特徴とする脳波測定用器具。
【請求項２】
前記カードランゲルは、弾性率が１×１０４Ｐａ以上１×１０７Ｐａ以下であることを特徴とする請求項１に記載の脳波測定用器具。
【請求項３】
前記カードランゲルは、電気抵抗率が１×１０５Ω・ｍ以下であることを特徴とする請求項１又は２に記載の脳波測定用器具。
【請求項４】
半球状の本体の所定の位置に、前記カードランゲルが表面に固定されている電極を有する脳波測定部材を保持すると共に、該脳波測定部材の位置を調整する円筒状のアジャスターが設置されており、
前記カードランゲルは、円柱状であり、
前記電極は、円盤状であることを特徴とする請求項１乃至３のいずれか一項に記載の脳波測定用器具。
【請求項５】
請求項１乃至４のいずれか一項に記載の脳波測定用器具を、前記カードランゲルが頭皮に接触するように、頭部に装着する工程を有することを特徴とする脳波の測定方法。
【発明の詳細な説明】
【技術分野】
【０００１】
本発明は、脳波測定用器具及び脳波の測定方法に関する。
【背景技術】
【０００２】
従来、脳波を測定する際には、電極を頭皮に固定するために、ペーストと呼ばれる粘着基剤が用いられているが、脳波を測定した後に、ペーストを洗い流さなければならないという問題があった。そこで、ペーストを使用しない脳波の測定方法として、頭部に脳波測定用ヘルメットを装着する方法が知られている。
【０００３】
特許文献１には、キャップに設けた複数の電極のリード線から脳波測定用の信号を出力する脳波測定用ヘッドギアが開示されている。このとき、各電極が保液性を有するフェルト片と、フェルト片より短い深さの有底孔を有する突出部を設けた支持部とを有し、リード線がカーボン繊維束で構成されその一部が有底孔内に露出しており、フェルト片が、有底孔に挿入された後、食塩水を吸水した状態で頭皮に接触する。
【０００４】
特許文献２には、ヘルメットを貫通してヘルメットに固定された第１の円筒部と、第１の円筒部内をスライド可能な第２の円筒部と、第１の円筒部内をスライドさせたときにヘルメットの内側から飛び出た第２の円筒部の端部に遊合状態で嵌め込むことが可能な球部、及び球部を支持する面を底面とした筒状の支持部を有するコネクター部と、支持部の内部に保持される導電部であって、電解質溶液を含浸させた状態で頭皮と接触されるフェルトと接触する導体、及び導体を支持部を通ってその外部に接続するための導線を有するものを備えた脳波測定用電極が開示されている。
【０００５】
しかしながら、ヘルメットを装着している間に食塩水が滴ることに加え、ヘルメットを長時間装着すると、フェルトの硬さに起因する頭痛が発生するという問題がある。
【先行技術文献】
【特許文献】
【０００６】
【特許文献１】特開平１０−１６５３８６号公報
【特許文献２】特開２００８−３０２０８９号公報
【発明の概要】
【発明が解決しようとする課題】
【０００７】
本発明は、上記の従来技術が有する問題に鑑み、装着している間に食塩水が滴ることを抑制すると共に、長時間装着しても頭痛が発生することを抑制することが可能な脳波測定用器具及び該脳波測定用器具を用いる脳波の測定方法を提供することを目的とする。
【課題を解決するための手段】
【０００８】
請求項１に記載の発明は、脳波測定用器具において、電解質を含むカードランゲルが表面に固定されている電極を有することを特徴とする。
【０００９】
請求項２に記載の発明は、請求項１に記載の脳波測定用器具において、前記カードランゲルは、弾性率が１×１０４Ｐａ以上１×１０７Ｐａ以下であることを特徴とする。
【００１０】
請求項３に記載の発明は、請求項１又は２に記載の脳波測定用器具において、前記カードランゲルは、電気抵抗率が１×１０５Ω・ｍ以下であることを特徴とする。
【００１１】
請求項４に記載の発明は、請求項１乃至３のいずれか一項に記載の脳波測定用器具において、半球状の本体の所定の位置に、前記カードランゲルが表面に固定されている電極を有する脳波測定部材を保持すると共に、該脳波測定部材の位置を調整する円筒状のアジャスターが設置されており、前記カードランゲルは、円柱状であり、前記電極は、円盤状であることを特徴とする。
【００１２】
請求項５に記載の発明は、脳波の測定方法において、請求項１乃至４のいずれか一項に記載の脳波測定用器具を、前記カードランゲルが頭皮に接触するように、頭部に装着する工程を有することを特徴とする。
【発明の効果】
【００１３】
本発明によれば、装着している間に食塩水が滴ることを抑制すると共に、長時間装着しても頭痛が発生することを抑制することが可能な脳波測定用器具及び該脳波測定用器具を用いる脳波の測定方法を提供することができる。
【図面の簡単な説明】
【００１４】
【図１】本発明の脳波測定用器具の一例を示す部分断面図である。
【発明を実施するための形態】
【００１５】
次に、本発明を実施するための形態を図面と共に説明する。
【００１６】
図１に、本発明の脳波測定用器具の一例として、脳波測定用ヘルメットを示す。
【００１７】
脳波測定用ヘルメット１００は、半球状の本体１１０の所定の位置に、脳波測定部材１２０を保持すると共に、脳波測定部材１２０の位置を調整する円筒状のアジャスター１１１が設置されている。このとき、アジャスター１１１の内周に、突起部１１１ａが形成されている。また、本体１１０のアジャスター１１１が設置される位置には、開口部が形成されている。
【００１８】
脳波測定部材１２０は、下方が開口している円筒状の支持ケース１２１の外周に、突起部１１１ａと係合する係合部１２１ａが形成されている。また、支持ケース１２１の上面にネジ穴１２１ｂが形成されており、センサ１２２を固定するネジ１２３がネジ穴１２１ａとネジ係合している。
【００１９】
センサ１２２は、接着剤等によりネジ１２３と接合されている円盤状の電極１２２ａの底面に、円柱状のカードランゲル１２２ｂが固定されている。また、電極１２２ａは、リード線１２２ｃを介して、電気信号処理装置（不図示）に接続されている。このため、頭皮にカードランゲル１２２ｂを押し当てることにより、脳波を測定することができる。
【００２０】
なお、アジャスター１１１は、カードランゲル１２２ｂの頭皮と接触する位置が国際１０−２０法に従うように本体１１０に配置されているが、脳波を測定することが可能であれば、特に限定されない。
【００２１】
電極１２２ａとしては、特に限定されないが、銀−塩化銀電極等が挙げられる。
【００２２】
カードランゲル１２２ｂは、電解質を含む。
【００２３】
電解質としては、特に限定されないが、塩化ナトリウム等が挙げられる。
【００２４】
カードランゲル１２２ｂの弾性率は、１×１０４〜１×１０７Ｐａであることが好ましく、１×１０５〜１×１０６Ｐａがさらに好ましい。カードランゲル１２２ｂの弾性率が１×１０４Ｐａ未満であると、カードランゲル１２２ｂの弾力性が不十分となることがあり、１×１０７Ｐａを超えると、脳波測定用ヘルメット１００を装着する際にカードランゲル１２２ｂが折れやすくなったり、脳波測定用ヘルメット１００を長時間装着すると頭痛が発生したりすることがある。
【００２５】
なお、カードランゲル１２２ｂの弾性率は、レオメーター（ＦＵＤＯ社製）を用いて測定することができる。
【００２６】
カードランゲル１２２ｂの電気抵抗率は、１×１０５Ω・ｍ以下であることが好ましく、３．５×１０４Ω・ｍ以下がさらに好ましい。カードランゲル１２２ｂの電気抵抗率が１×１０５Ω・ｍを超えると、カードランゲル１２２ｂの導電性が不十分となることがある。
【００２７】
なお、カードランゲル１２２ｂの電気抵抗率は、脳波計Ｐｏｌｙｍａｔｅ（デジテックス研究所社製）の付属ソフトＡＰ  Ｍｏｎｉｔｅｒを用いて測定することができる。
【００２８】
カードランゲル１２２ｂは、カードランが電解質水溶液中に分散されている分散液を加熱することにより得られる。
【００２９】
分散液中のカードランの含有量は、通常、４〜７質量％であり、５〜６質量％が好ましい。分散液中のカードランの含有量が４質量％未満であると、カードランゲル１２２ｂの弾力性が不十分となることがあり、７質量％を超えると、脳波測定用ヘルメット１００を装着する際にカードランゲル１２２ｂが折れやすくなったり、脳波測定用ヘルメット１００を長時間装着すると頭痛が発生したりすることがある。
【００３０】
分散液中の電解質の含有量は、通常、０．０５〜１０質量％であり、０．５〜３質量％が好ましい。分散液中の電解質の含有量が０．０５質量％未満であると、カードランゲル１２２ｂの導電性が不十分となることがあり、１０質量％を超えると、頭皮がべたついて、洗髪が必要になることがある。
【００３１】
分散液を加熱する温度は、通常、８０〜９０℃であり、８３〜８７℃が好ましい。分散液を加熱する温度が８０℃未満であると、カードランゲル１２２ｂの弾力性が不十分となることがあり、９０℃を超えると、脳波測定用ヘルメット１００を装着する際にカードランゲル１２２ｂが折れやすくなったり、脳波測定用ヘルメット１００を長時間装着すると頭痛が発生したりすることがある。
【００３２】
脳波測定用ヘルメット１００を用いて脳波を測定する方法としては、公知の方法を用いることができる。
【００３３】
脳波測定用ヘルメット１００以外の脳波測定用器具としては、脳波測定用キャップ等が挙げられる。
【００３４】
なお、センサ１２２は、皮膚にカードランゲル１２２ｂを押し当てることにより、心電図、筋電図等の測定にも適用することができる。
【実施例】
【００３５】
［実施例１］
イオン交換水８０ｇ中にカードラン（キリン協和フーズ社製）５ｇを加え、Ｔ．Ｋ．ディスパー（特殊機化工業社製）を用いて、８００ｒｐｍで１０分間分散させた。次に、２Ｎ水酸化ナトリウム水溶液５ｇを加え、Ｔ．Ｋ．ディスパー（特殊機化工業社製）を用いて、２０００ｒｐｍで５分間溶解させた。さらに、２Ｎ塩酸５ｇを加え、Ｔ．Ｋ．ディスパー（特殊機化工業社製）を用いて、３０００ｒｐｍで５分間分散させた後、脱気して、カードラン分散液を得た。
【００３６】
内径が１５ｍｍ、長さが９ｃｍの円柱状の容器にカードラン分散液を充填した後、８０℃で２０分間加熱し、ゲル化させた。得られたゲルを切断し、直径が１５ｍｍ、長さが５．５ｃｍの円柱状のカードランゲルを得た。カードランゲルは、弾性率が７．８×１０５Ｐａであり、電気抵抗率が３．０６７×１０４Ω・ｍであった。
【００３７】
得られたカードランゲルを用いて、脳波測定用ヘルメット１００を作製した。
【００３８】
脳波測定用ヘルメット１００を被験者の頭部に装着し、電気信号処理装置として、脳波計Ｐｏｌｙｍａｔｅ（デジテックス研究所社製）を用いて、脳波を測定した。その結果、脳波測定用ヘルメット１００を装着している間に食塩水は滴らなかった。また、脳波測定用ヘルメット１００を２時間装着しても、被験者に頭痛が発生しなかった。
【００３９】
［比較例１］
カードランゲル１２２ｂの代わりに、生理食塩水を含浸させたフェルトを用いた以外は、実施例１と同様にして、脳波測定用ヘルメットを作製し、脳波を測定した。その結果、脳波測定用ヘルメットを装着している間に食塩水が滴った。また、脳波測定用ヘルメットを２時間装着すると、被験者に頭痛が発生した。
【符号の説明】
【００４０】
１００    脳波測定用ヘルメット
１２２    センサ
１２２ａ    電極
１２２ｂ    カードランゲル
１２２ｃ    リード線
【図１】
0005806472.tif 000002